【事件の表示】
　特願２０００−３５５１１０「放送デジタル音楽および他のタイプの情報を識別し、購入する方法および装置」拒絶査定不服審判事件〔平成１３年　８月１０日出願公開、特開２００１−２１６４３４〕について、次のとおり審決する。
【結　論】
　本件審判の請求は、成り立たない。
【理　由】
１．手続の経緯
　本願は，平成１２年１１月２２日（パリ条約による優先権主張１９９９年１１月２２日，米国）の出願であって，平成２２年３月１５日付けの拒絶理由通知に対して，同年９月１４日付けで手続補正がなされ，平成２３年４月５日付けの拒絶理由通知に対して同年１０月１１日付けで手続補正がなされたが，平成２４年３月２６日付けで拒絶査定がなされ，これに対して，同年７月２７日に拒絶査定不服審判の請求がなされたものである。
　
２．本願発明
　本願の請求項１に係る発明（以下，「本願発明」という。）は，平成２３年１０月１１日付けの手続補正書によって補正された特許請求の範囲の請求項１に記載された事項により特定される次のとおりのものである。
　
「　【請求項１】　オーディオ解凍要素（１０８）と，コントローラ（１１２）と，メモリ（１１４）とを含む無線受信機（１０２，２０２）を使用して，情報をユーザに提供する方法であって，
　該ユーザからのコマンドに応答して，該無線受信機（１０２，２０２）とデータネットワークのアクセスポイントとの間の接続を確立することができない場合に，該ユーザに知覚可能な形態で提示される現在流れている無線放送から該オーディオ解凍要素（１０８）により抽出された識別情報を，該コントローラ（１１２）の制御下で該メモリ（１１４）に格納するステップであって，該コマンドが，該無線受信機（１０２，２０２）に入力され，該識別情報が，該無線受信機（１０２，２０２）と該データネットワークの該アクセスポイントとの間の該接続を要することなく抽出されて格納され，該識別情報が，該放送に関連すると共にダウンロード可能なファイルを含む少なくとも１つの送達可能な情報アイテムを識別するのに十分な情報を特定するようなステップと，
　該無線受信機（１０２，２０２）と該データネットワークの該アクセスポイントとの間の接続を確立することができる場合に，該データネットワークを介して，該放送に関連する少なくとも１つの送達可能な情報アイテムを識別するために送られた識別情報を処理するサーバに対して，該抽出された識別情報の少なくとも一部をその後に送るステップとを含み，
　該識別情報が，現在流れている放送の曲に関連するアーティスト，タイトル，アルバム名，ラベル識別子，ソース識別子，日付，及び時間のうちの少なくとも１つを含む方法。」
　
３．引用例
（１）引用例１
　原査定の拒絶理由通知で引用された「特開平１０−１６３９８８号公報」（以下「引用例１」という。）には，図面とともに以下の事項が記載されている。
　
（ア）「【０００１】
【発明の属する技術分野】本発明は，送受信装置および送受信方法，受信装置および受信方法，並びに送信装置および送信方法に関する。特に，例えば，
ラジオ放送
で放送された番組としての曲であるオーディオデータ
を，容易に得ることができるようにする
送受信方法
　
（イ）「【００２５】
【発明の実施の形態】
図１は，本発明を適用したオーディオ提供システム
ＦＭ（Freqency Modulation）ラジオ放送局などの放送局１
【００２６】即ち，
放送局１からは，通常のプログラムにしたがって種々の番組が放送される
番組データは，
地上回線や，衛星回線などの，
放送に利用される伝送路２を介して，各ユーザに送信され
【００２７】
ユーザ（受信者）側において，放送局１からの番組データは，受信装置３で受信され
受信装置３では，放送局１からの番組データが出力され，
，ユーザは，その番組を聴くことができ
【００２８】そして，
ユーザは，番組を聴いて，その番組に用いられている関連データとしての曲を所望するとき，受信装置３を，その曲を要求するように操作する
すると，受信装置３においては，
インターネット，ＩＳＤＮ網やＰＳＴＮ網などの公衆網，あるいはＣＡＴＶ網などの広域ネットワーク４を介して，放送局１との通信リンクが確立され，ユーザが所望した曲を要求する旨
リクエスト情報
が送信される
放送局１においては，番組に用いられる曲としての，
ディジタルのオーディオデータ（関連データ）が管理されており，受信装置３からリクエスト情報を受信すると，そのリクエスト情報に対応する曲としてのオーディオデータを，広域ネットワーク４を介して受信装置３に送信する
【００２９】
受信装置３では，放送局１から広域ネットワーク４を介して送信されてくるオーディオデータが受信されて記録される
【００３０】従って，
ユーザは，番組を聴いて，その番組に用いられている曲が気に入ったとき，受信装置３を所定操作するだけで，その曲を，容易かつ即座に入手することができる
　
（ウ）「【００３１】図２は，図１の放送局１の構成例を示している。
【００３２】この
放送局１においては，
ＦＭ多重放送により，通常のＦＭ放送とともに文字放送も行われるようになされている
【００３３】即ち，ＦＭ多重変調部１１（番組データ送信手段）には，ＦＭ放送による番組として放送するオーディオ放送信号と，文字放送による番組としての文字情報とが入力されるようになされており，
ＦＭ多重変調部１１は，オーディオ放送信号に文字情報を多重化し，ＦＭ変調して出力するようになされている
【００３４】ここで，図３は，オーディオ放送信号と文字情報とを多重化した多重化信号を示している。オーディオ放送信号は，ＬチャンネルおよびＲチャンネルの信号からなり，１９ｋＨｚ付近に配置されたパイロット信号の低域側または高域側に，信号Ｌ＋ＲまたはＬ−Ｒがそれぞれ配置されている。そして，信号Ｌ−Ｒの高域側（図３では，７６ｋＨｚ付近）に，文字情報が配置されている。
【００３５】
通信部１２
は，サーバ１３と広域ネットワーク４との間の通信制御を行うようになされている
記録媒体（記憶媒体）１６（記憶手段）には，ＦＭ放送として放送される番組に用いられる曲としてのオーディオデータが，それを識別するための識別情報と関係付けられて記録（記憶）されている
【００３６】以上のように構成される放送局１においては，ＦＭ多重変調部１１に，ＦＭ放送による番組として放送するオーディオ放送信号が入力される。さらに，ＦＭ多重変調部１１には，
オーディオ放送信号が曲である場合，その曲を識別するための識別情報（例えば，曲に対して，あらかじめ割り当てられた所定のコードなど）が，文字情報として入力される
【００３７】ＦＭ多重変調部１１では，オーディオ放送信号に文字情報としての識別情報が多重化されてＦＭ変調され，多重化信号として出力される。この多重化信号は，例えば，電波として，伝送路２を介して送信される。
【００３８】一方，
通信部１２は，受信装置３から，広域ネットワーク４を介してアクセスがあると，受信装置３との通信リンクを確立し，受信装置３とサーバ１３との間の通信制御を開始する
サーバ１３は，通信部１２において受信装置３との通信リンクが確立されると，
【００３９】即ち，
まず最初に，
受信装置３からのリクエスト情報を受信したかどうかが
判定され
リクエスト情報を受信したと判定された場合，
そのリクエスト情報に対応するオーディオデータを，記録媒体１６から検索する
リクエスト情報には，
識別情報が含まれており
その識別情報と関係付けられているオーディオデータを記録媒体１６から読み出す
【００４０】そして，ＣＰＵ１４は，ステップＳ３において，
記録媒体１６から読み出したオーディオデータを，通信部１２に転送して送信させ
通信部１２は，
転送されたオーディオデータを，広域ネットワーク４を介して，リクエスト情報を送信してきた受信装置３に送信し，その送信の終了後，受信装置３との間の回線を切断する
　
（エ）「【００４１】次に，図５は，図１の受信装置３の構成例を示している。
【００４２】同図に示すように，
受信装置３は，チューナ部３１および情報処理部３２から構成され
【００４３】
チューナ部３１は，復調／分離部２１，信号処理部２２，および出力部２３から構成され
【００４４】
復調／分離部２１（番組データ受信手段）は，放送局１から送信されてくる電波を受信し，その受信信号のうちの所定のチャンネルの多重化信号を復調するようになされている
復調／分離部２１は，復調信号から，オーディオ放送信号と文字情報とを分離し，信号処理部２２に出力するようにもなされている
文字情報は，信号処理部２２の他，情報処理部３２のＩ／Ｆ部２４にも供給されるようになされている
【００４５】
信号処理部２２は，復調／分離部２１からのオーディオ放送信号および文字情報に対して必要な信号処理を施し，出力部２３に供給するようになされている
出力部２３（出力手段）は，スピーカ２３Ａおよびモニタ２３Ｂを有しており，オーディオ放送信号としての音声や曲は，スピーカ２３Ａから出力され，文字情報としての文字や図形はモニタ２３Ｂに表示されるようになされている
信号処理部２２は，
文字情報が，識別情報である場合には，出力部２３に供給しないようになされている
【００４６】一方，
情報処理部３２は，Ｉ／Ｆ部２４，通信部２５，ＣＰＵ２６，メモリ２７，記録部２８，記録媒体２９，および操作部３０で構成されている
【００４７】
Ｉ／Ｆ部２４は，チューナ部３１の復調／分離部２１から供給される文字情報を受信し，それが識別情報である場合には，ＣＰＵ２６に供給するようになされている
通信部２５（識別情報送信手段）（関連データ受信手段）（情報送信手段）は，ＣＰＵ２６と広域ネットワーク４との間の通信制御を行うようになされている
ＣＰＵ２６は，操作部３０の操作などに対応して，各種の処理を行うようになされている
メモリ２７は，ＣＰＵ２６の動作上必要なデータを記憶するようになされている
【００４８】
操作部３０は，
キーボード３０Ａおよびセレクトボタン３０Ｂで構成されている
セレクトボタン３０Ｂ（操作手段）は，スピーカ２３Ａから出力された曲を要求するときに操作される
【００４９】以上のように構成される
受信装置３において
復調／分離部２１において，放送局１から送信されてくる電波が受信され
所定のチャンネルの多重化信号が復調される
復調／分離部２１は，その復調信号から，オーディオ放送信号と文字情報とを分離し，オーディオ放送信号を信号処理部２２に出力するとともに，文字情報を信号処理部２２およびＩ／Ｆ部２４に出力する
【００５０】
信号処理部２２では，復調／分離部２１からのオーディオ放送信号に必要な信号処理が施され，出力部２３に供給される
出力部２３のスピーカ２３Ａからは，オーディオ放送信号としての音声や曲が出力され
また，信号処理部２２では，復調／分離部２１からの文字情報が，識別情報でない場合には，やはり必要な信号処理が施され，出力部２３に供給され
出力部２３Ａのモニタ２３Ｂには，文字情報が表示され
【００５１】一方，
Ｉ／Ｆ部２４は，復調／分離部２１からの文字情報が識別情報である場合，その識別情報を，ＣＰＵ２６に供給する
【００５２】
ＣＰＵ２６では，
【００５３】即ち，
まず最初に，
セレクトボタン３０Ｂが操作されたか否かが判定され，
セレクトボタン３０Ｂが操作されたと判定された場合
そのときＩ／Ｆ部２４から供給された識別情報に対応するオーディオデータ，即ち，セレクトボタン３０Ｂが操作されたときに，スピーカ２３Ａから出力されていた曲のオーディオデータを要求するリクエスト情報が生成される
【００５４】具体的には，
リクエスト情報には，オーディオデータを要求する旨，そのオーディオデータを識別するための識別情報（Ｉ／Ｆ部２４から供給されたもの），そのオーディオデータに対する対価（料金）を支払うための銀行口座あるいはクレジットカードの番号などが含められる
リクエスト情報に含める銀行口座あるいはクレジットカードの番号は
ユーザがセレクトボタン３０Ｂを操作するたびに，キーボード３０Ａを操作して入力しても良いし，
あらかじめキーボード３０Ａを操作して入力し
メモリ２７に記憶させたものを用いるようにしても良い
【００５５】
ＣＰＵ２６は，リクエスト情報の生成後，
通信部２５を制御して，リクエスト情報を，広域ネットワーク４を介して放送局１に送信させる
【００５６】即ち，例えば，
識別情報には，オーディオ放送信号を放送している放送局へのアクセス先も含まれており，通信部２５は，
そのアクセス先（ここでは，放送局１）との間の通信リンクを，広域ネットワーク４を介して確立する
通信部２５は，リクエスト情報を，広域ネットワーク４を介して，そのアクセス先，即ち，放送局１に送信する
【００５７】以上のようにして放送局１にリクエスト情報が送信されると，図２で説明したように，放送局１においては，そのリクエスト情報に対応するオーディオデータ，即ち，そのリクエスト情報に含まれる識別情報に対応するオーディオデータが検索され，送信される。
【００５８】そこで，ＣＰＵ２６においては，リクエスト情報の送信後，ステップＳ１４に進み，放送局１からオーディオデータが送信されてきたかどうかが判定される。ステップＳ１４において，放送局１からオーディオデータが送信されてきていないと判定された場合，ステップＳ１４に戻る。また，放送局１からオーディオデータが送信されてきたと判定された場合，ステップＳ１５に進み，ＣＰＵ２６は，そのオーディオデータを，通信部２５に受信させる。さらに，ＣＰＵ２６は，通信部２５において受信されたオーディオデータを，記録部２８に転送し，記録媒体２９に記録させる。そして，放送局１から送信されてくるオーディオデータすべてを受信，記録すると，処理を終了する。
【００５９】従って，
ユーザは，番組において放送された曲を所望するとき，その曲が放送されている間に，セレクトボタン３０Ｂを操作するだけで，その曲のオーディオデータを入手することができる
　
　上記摘記事項（ア）〜（エ）の記載及び図面の記載を総合すると，引用例１には，次のとおりの発明（以下，「引用例１発明」という。）が記載されていると認められる。
　
「ラジオ放送で放送された番組としての曲であるオーディオデータを，容易に得ることができるようにするオーディオ提供システムにおける送受信方法であって，
　当該オーディオ提供システムは，
　ＦＭラジオ放送局などの放送局１と，
　当該放送局１から地上回線や，衛星回線などの伝送路２を介して放送される番組データをユーザ側で受信するための受信装置３であって，復調／分離部２１，Ｉ／Ｆ部２４，通信部２５，ＣＰＵ２６，ＣＰＵ２６の動作上必要なデータを記憶するメモリ２７，およびセレクトボタン３０Ｂを備えた受信装置３と，
　放送局１と受信装置３とを接続するインターネット，ＩＳＤＮ網やＰＳＴＮ網などの公衆網，あるいはＣＡＴＶ網などの広域ネットワーク４とから構成されており，
　放送局１は，オーディオ放送信号に文字情報を多重化したＦＭ多重放送により，通常のＦＭ放送とともに文字放送も行われるようになされており，
　オーディオ放送信号が曲である場合，その曲を識別するための識別情報であって，例えば，曲に対して，あらかじめ割り当てられた所定のコードなどの識別情報が，文字情報として入力され，
　受信装置３の復調／分離部２１は，放送局１から送信されてくる電波を受信して復調し，復調信号からオーディオ放送信号と文字情報を分離し，分離した文字情報をＩ／Ｆ部２４に供給し，
　Ｉ／Ｆ部２４は，復調／分離部２１から供給される文字情報が識別情報である場合には，ＣＰＵ２６に供給するようになされており，
　受信装置３のユーザが，放送された曲を聴いてその曲が気に入ったとき，その曲が放送されている間に，受信装置３のセレクトボタン３０Ｂを操作すると，ＣＰＵ２６が，セレクトボタン３０Ｂが操作されたことを判定し，Ｉ／Ｆ部２４から供給された識別情報と，オーディオデータを要求する旨と，そのオーディオデータに対する対価を支払うための銀行口座あるいはクレジットカードの番号とを含むリクエスト情報を生成し，
　当該リクエスト情報の生成後，受信装置３の通信部２５は，オーディオ放送信号を放送している放送局１との間の通信リンクを広域ネットワーク４を介して確立して，生成したリクエスト情報を広域ネットワーク４を介して放送局１に送信し，
　放送局１のサーバ１３は，受信装置３からのリクエスト情報を受信し，そのリクエスト情報に含まれる識別情報に対応するオーディオデータを，広域ネットワーク４を介してリクエスト情報を送信してきた受信装置３に送信し，その送信の終了後，受信装置３との間の回線を切断し，
　受信装置３では，放送局１から広域ネットワーク４を介して送信されてきたオーディオデータが受信されて記録される，
　送受信方法。」 
　
４．対比
　本願発明と，上記引用例１発明とを比較する。
　
（ａ）引用例１発明の「復調／分離部２１」は，放送局１から送信されてくる電波を受信して復調し，復調信号から文字情報を分離する（抽出する）という作用を有しているから，引用例１発明の「復調／分離部２１」が本願発明の「オーディオ解凍要素」に相当する。
　引用例１発明の「ＣＰＵ２６」は，Ｉ／Ｆ部２４，通信部２５，メモリ２７，およびセレクトボタン３０Ｂの動作をコントロールするものであるから，引用例１発明の「ＣＰＵ２６」が本願発明の「コントローラ」に相当する。
　引用例１発明の「メモリ２７」が本願発明の「メモリ」に相当する。
　そして，引用例１発明の「受信装置３」は，復調／分離部２１（オーディオ解凍要素）と，ＣＰＵ２６（コントローラ）と，メモリ２７（メモリ）とを「含む」ものであり，また，放送局１から地上回線や，衛星回線などの伝送路２を介して放送される番組データをユーザ側で受信するための「無線受信機」であるから，引用例１発明の「受信装置３」が本願発明の「オーディオ解凍要素と，コントローラと，メモリとを含む無線受信機」に相当する。
　引用例１発明では，ラジオ放送で放送された番組としての曲であるオーディオデータの「情報」を「ユーザに提供」しており，そのために「受信装置３（無線受信機）を使用して」いるものであるから，引用例１発明の「ラジオ放送で放送された番組としての曲であるオーディオデータを，容易に得ることができるようにするオーディオ提供システムにおける送受信方法」が本願発明の「無線受信機を使用して，情報をユーザに提供する方法」に相当する。
　してみれば，引用例１発明と本願発明とは，「オーディオ解凍要素と，コントローラと，メモリとを含む無線受信機を使用して，情報をユーザに提供する方法」である点で一致する。
　
（ｂ）
（ｂ−１）引用例１発明では，受信装置３のユーザが，セレクトボタン３０Ｂを操作すると，ＣＰＵ２６が，セレクトボタン３０Ｂが操作されたことを判定しているから，引用例１発明の「ユーザによるセレクトボタン３０Ｂの操作」が，本願発明の「ユーザからのコマンド」に相当する。
　そして，引用例１発明では，ＣＰＵ２６が，セレクトボタン３０Ｂが操作されたことを判定すると，それに「応答して」リクエスト情報を生成しているから，「ユーザからのコマンドに応答して」リクエスト情報を生成しているということができる。
　
（ｂ−２）引用例１発明では，ユーザが，放送された曲を聴いてその曲が気に入ったとき，その曲が放送されている間に，受信装置３のセレクトボタン３０Ｂを操作するものであるから，引用例１発明の「放送」が，本願発明の「ユーザに知覚可能な形態で提示される現在流れている無線放送」に相当する。そして，引用例１発明の「識別情報」は，オーディオ放送信号が曲である場合，その曲を識別するための識別情報であり，放送局１から送信されてくる電波の復調信号から，「復調／分離部２１（オーディオ解凍要素）により」オーディオ放送信号と「分離（抽出）される」ものである。
　してみれば，引用例１発明の「識別情報」が本願発明の「ユーザに知覚可能な形態で提示される現在流れている無線放送からオーディオ解凍要素により抽出された識別情報」に相当する。
　
（ｂ−３）引用例１発明では，受信装置３のセレクトボタン３０Ｂが操作されると，ＣＰＵ２６が，セレクトボタン３０Ｂが操作されたことを判定して，識別情報と，オーディオデータを要求する旨と，銀行口座あるいはクレジットカードの番号とを含むリクエスト情報を生成し，生成したリクエスト情報を広域ネットワーク４を介して放送局１に送信している。
　ここで，生成された，「識別情報を含むリクエスト情報」が，広域ネットワーク４を介して放送局１に送信される前に，ＣＰＵ２６（コントローラ）の「制御下で」，何らかの「メモリ」に「格納」されることは技術常識である。
　そして，引用例１発明において，そのような格納のための「メモリ」として，「ＣＰＵ２６の動作上必要なデータを記憶するメモリ２７」が用いられることは自明のことである。
　してみれば，引用例１発明は，ユーザからのコマンドに応答して生成された，識別情報を含むリクエスト情報を，「コントローラの制御下でメモリに格納するステップ」を含んでいるということができる。
　
（ｂ−４）引用例１発明では，広域ネットワーク４を介した通信リンクの確立の前に，リクエスト情報を生成しており，当該リクエスト情報を生成するための識別情報の「抽出」処理や，生成したリクエスト情報（識別情報を含む）の「格納」処理の際に，広域ネットワーク４を介した通信リンクの確立が必要でないこと，すなわち，「無線受信機とデータネットワークのアクセスポイントとの間の接続を要すること」がないことは自明のことである。
　してみれば，引用例１発明と本願発明とは，「（ユーザからの）コマンドが，無線受信機に入力され，識別情報が，該無線受信機とデータネットワークのアクセスポイントとの間の接続を要することなく抽出されて格納され」ている点で共通している。
　
（ｂ−５）引用例１発明では，放送局１のサーバ１３が，受信装置３からのリクエスト情報を受信し，そのリクエスト情報に含まれる識別情報に対応するオーディオデータを，広域ネットワーク４を介してリクエスト情報を送信してきた受信装置３に送信しているから，引用例１発明の「サーバ１３から送信されるオーディオデータ」が，本願発明の「少なくとも１つの送達可能な情報アイテム」に相当する。
　また，引用例１発明の「サーバ１３から送信されるオーディオデータ」は，「ラジオ放送で放送された番組としての曲であるオーディオデータ」であるから，「放送に関連する」ものであるということができる。
　そして，引用例１発明の「識別情報」は，「オーディオデータ」に対応するものであるから，「少なくとも１つの送達可能な情報アイテムを識別するのに十分な情報を特定する」ものである。
　してみれば，引用例１発明と本願発明とは，「識別情報が，放送に関連する少なくとも１つの送達可能な情報アイテムを識別するのに十分な情報を特定する」点で共通している。
　
（ｂ−６）以上の（ｂ−１）〜（ｂ−５）のことから，引用例１発明と本願発明とは，後記する点で相違するものの，「ユーザからのコマンドに応答して，該ユーザに知覚可能な形態で提示される現在流れている無線放送からオーディオ解凍要素により抽出された識別情報を，コントローラの制御下でメモリに格納するステップであって，該コマンドが，該無線受信機に入力され，該識別情報が，該無線受信機とデータネットワークのアクセスポイントとの間の接続を要することなく抽出されて格納され，該識別情報が，該放送に関連する少なくとも１つの送達可能な情報アイテムを識別するのに十分な情報を特定するようなステップ」を含んでいる点で共通する。
　
（ｃ）引用例１発明の「広域ネットワーク４」が本願発明の「データネットワーク」に相当する。
　また，引用例１発明では，リクエスト情報が，放送局１に送信されると，放送局１のサーバ１３がリクエスト情報を受信して，そのリクエスト情報に含まれる「識別情報」に対応するオーディオデータを，広域ネットワーク４を介してリクエスト情報を送信してきた受信装置３に送信しているから，引用例１発明の「サーバ１３」が本願発明の「データネットワークを介して，放送に関連する少なくとも１つの送達可能な情報アイテムを識別するために送られた識別情報を処理するサーバ」に相当する。
　そして，引用例１発明の「識別情報」は，「抽出された識別情報の少なくとも一部」であるということができ，また，これを放送局１の「サーバ１３（サーバ）に対して」送っているものである。
　してみれば，引用例１発明と本願発明とは，後記する点で相違するものの，「データネットワークを介して，放送に関連する少なくとも１つの送達可能な情報アイテムを識別するために送られた識別情報を処理するサーバに対して，抽出された識別情報の少なくとも一部を送るステップ」を含んでいる点で共通する。
　
　そうすると，本願発明と引用例１発明とは，
　
「オーディオ解凍要素と，コントローラと，メモリとを含む無線受信機を使用して，情報をユーザに提供する方法であって，
　該ユーザからのコマンドに応答して，該ユーザに知覚可能な形態で提示される現在流れている無線放送からオーディオ解凍要素により抽出された識別情報を，該コントローラの制御下で該メモリに格納するステップであって，該コマンドが，該無線受信機に入力され，該識別情報が，該無線受信機とデータネットワークのアクセスポイントとの間の接続を要することなく抽出されて格納され，該識別情報が，該放送に関連する少なくとも１つの送達可能な情報アイテムを識別するのに十分な情報を特定するようなステップと，
　データネットワークを介して，該放送に関連する少なくとも１つの送達可能な情報アイテムを識別するために送られた識別情報を処理するサーバに対して，該抽出された識別情報の少なくとも一部を送るステップとを含む，
　方法。」
　
の点で一致し，以下の点で相違する。  
　
［相違点１］
　本願発明では，「無線受信機とデータネットワークのアクセスポイントとの間の接続を確立することができない場合に」，識別情報を抽出してメモリに格納し，「無線受信機とデータネットワークのアクセスポイントとの間の接続を確立することができる場合に」，抽出された識別情報の少なくとも一部を「その後に」送るのに対して，引用例１発明はそのようになっていない点。
　
［相違点２］
　少なくとも１つの送達可能な情報アイテムが，本願発明では，「ダウンロード可能なファイルを含む」ものであるのに対して，引用例１発明では，そのような特定はなされていない点。
　
［相違点３］
　本願発明では，「識別情報が，現在流れている放送の曲に関連するアーティスト，タイトル，アルバム名，ラベル識別子，ソース識別子，日付，及び時間のうちの少なくとも１つを含む」のに対して，引用例１発明の識別情報は，「曲に対して，あらかじめ割り当てられた所定のコードなど」である点。
　
５．判断  
　上記各相違点について，検討する。
　
［相違点１］について
　引用例１の第２の実施の形態を示す図７には，引用例１発明の受信装置３に対応する受信装置４２が自動車４１に搭載されて移動可能とされ，移動中にユーザが所定操作をすると，広域ネットワーク４を介して放送局１との通信リンクを確立することが記載されており（【００６５】段落），引用例１発明において，受信装置３を移動可能なものとし，この移動可能な受信装置３と広域ネットワーク４との接続を無線通信接続とすることは当業者が容易に想到し得たことである。
　その際，無線通信接続の場合には，例えば，受信装置３が「無線ネットワーク接続の範囲外にある」ときなど，「無線受信機とデータネットワークのアクセスポイントとの間の接続を確立することができない場合」が生じ得ることは技術常識であり，このような場合に送信すべきデータを一旦保存し，接続が確立した後，送信することは常套手段であることからすれば，引用例１発明において，受信装置３を移動可能なものとし，この移動可能な受信装置３と広域ネットワーク４との間の接続を無線通信接続とした場合において，「無線受信機とデータネットワークのアクセスポイントとの間の接続を確立することができない場合に」，識別情報を抽出してメモリに格納し，その後，「無線受信機とデータネットワークのアクセスポイントとの間の接続を確立することができる場合に」，格納しておいた識別情報，すなわち，「抽出された識別情報の少なくとも一部」を送信するように構成することは，当業者が適宜なし得たことである。
　
［相違点２］について
　楽曲等のオーディオデータをファイル形式でダウンロードすることは，例えば特開平１０−１５０５０５号公報（特に【００１４】〜【００１８】段落の記載参照），特開平１１−２８８２８２号公報（特に【００１０】〜【００１２】段落の記載参照）等に記載されているように周知技術であるから，引用例１発明に当該周知技術を適用して，少なくとも１つの送達可能な情報アイテムを，「ダウンロード可能なファイルを含む」ものとすることには何ら困難性がなく，当業者が適宜なし得たことである。
　
［相違点３］について
　楽曲を識別する際に，どのような情報を用いるかは，当業者が適宜選択しうる設計的事項であり，楽曲を識別する情報として，アーティストやタイトル，アルバム名等を用いることは常套手段である。
　してみれば，引用例１発明において，「識別情報」を，「現在流れている放送の曲に関連するアーティスト，タイトル，アルバム名，ラベル識別子，ソース識別子，日付，及び時間のうちの少なくとも１つを含む」ように構成することには，何ら困難性がなく，当業者が適宜なし得たことである。
　
　そして，本願発明の作用効果も，引用例１発明，引用例１記載事項及び周知技術から当業者が予測できる範囲のものである。
　
　なお，審判請求人は平成２４年９月１０日付けの，審判請求書の手続補正書において以下のとおり主張している。
　
「　３．　本論
（４）出願人は，拒絶査定の謄本中で示されている審査官殿の見解には同意できません。本願請求項１は，「無線受信機とデータネットワークのアクセスポイントとの間の接続を確立することができない場合に，現在流れている無線放送から抽出された識別情報が格納される」特徴を記載しています。請求項１は，さらに，「無線受信機とデータネットワークのアクセスポイントとの間の接続を確立することができる場合に，データネットワークを介して，サーバに対して，抽出された識別情報の少なくとも一部を送る」特徴を記載しています。
（５）審査官殿は，引用例１が上記の請求項１に記載された特徴を開示している旨説示されました。審査官殿は，引用例１の第７図に示されている実施形態に主として依拠されているように思われます。
　（図面省略）
（６）引用例１の第［００６４］段乃至第［００６８］段に示されている第７図の実施形態及び要約によれば，放送局１は，伝送路２を介して自動車４１内の受信装置４２に番組を送信します。受信装置４２は，広域ネットワーク４を介してその包装されている番組に用いられている曲に対するリクエストを送信します。広域ネットワーク４は，ユーザ宅にある個別の受信装置４３に広域ネットワーク４を介してリクエストされた曲を配信する放送局１にリクエストを転送します。しかしながら，引用例１は，受信装置４２と広域ネットワーク４との間の接続が常に利用可能であるとの仮定に基づいています。引用例１は，受信装置４２が広域ネットワーク４との接続を確立することができないという状況を提供しません。対照的に，本願請求項１は，無線受信機とデータネットワークのアクセスポイントとの間の接続を確立することができない場合に，識別情報を格納する特徴を記載しています。従って，引用例１は，本願請求項１に記載された特徴を開示していません。」
　
　しかしながら，この主張の点については，上記「［相違点１］について」で判断したとおりであるから，審判請求人の主張は採用することができない。
　
６．まとめ  
　以上のとおりであることから，本願発明は，引用例１発明，引用例１記載事項及び周知技術に基づいて，当業者が容易に発明をすることができたものである。  
 　  
７．むすび  
　以上のとおり，本願発明は，引用例１発明，引用例１記載事項及び周知技術に基づいて，当業者が容易に発明をすることができたものであるから，特許法第２９条第２項の規定により特許を受けることができない。
　したがって，本願は他の請求項について検討するまでもなく拒絶されるべきものである。
　よって，結論のとおり審決する。